(57)【要約】  本発明は、家庭用ビールディスペンサーに使用するアルコール飲料大樽または樽用の新規チャイム（出縁）を提供する。本発明のチャイムは、大樽としっかり固定されるように適合した環状リム部およびリム部から大樽を越えて延在する一対の対向する翼部を有することを特徴とし、翼部の各々は、中央部および、中央部からリム部にかけて傾斜する外側縁部を有してテーパー効果を与える２つの側部を有する。
2007537950.tif 000002
【特許請求の範囲】
【請求項１】
アルコール収容大樽用のチャイムであって、
前記大樽としっかり固定されるように適合した環状リム部；
前記大樽を越えて前記リム部から延在する一対の対向する翼部、ここに、これらの翼部の各々は中央部および２つの側部を有し、ここに、これらの側部の各々は前記中央部から前記リム部にかけて傾斜する外側縁部を有するチャイム。
【請求項２】
前記外側縁部が所定の半径の凹曲率を有する請求項１に記載のチャイム。
【請求項３】
前記中央部の各々が前記中央部にハンドル部を定める細長い開口を有する請求項１に記載のチャイム。
【請求項４】
前記中央部が、他の大樽を支えるための支持縁部および段差リッジ部を有する請求項１に記載のチャイム。
【請求項５】
前記翼部の各々が、前記大樽周りの環状リム部と同じ広がりをもち、湾曲する請求項１に記載のチャイム。
【請求項６】
プラスチック材料を含む請求項１に記載のチャイム。
【請求項７】
前記中央部の各々が、前記中央部にハンドル部を定める細長い開口を有する請求項２に記載のチャイム。
【請求項８】
前記中央部が、他の大樽を支えるための支持縁部および段差リッジ部を有する請求項３に記載のチャイム。
【請求項９】
前記翼部の各々が、前記大樽周りの環状リム部と同じ広がりをもち、湾曲する請求項７に記載のチャイム。
【請求項１０】
プラスチック材料を含む請求項７に記載のチャイム。
【発明の詳細な説明】
【技術分野】
【０００１】
本発明は、アルコール飲料大樽または樽に使用するのに適合した新規チャイム（出縁）に関する。
【背景技術】
【０００２】
段ボール容器に収容されたバッグにワインのごときアルコールを収容することが知られている。さらに、大樽内に挿入されたバッグを用いて、バッグにビールを貯蔵することが知られている。このタイプのビール大樽の使用は、構成部品が家庭用ビールディスペンサー内に挿入されているので、より一般的になりつつある。家庭用ビールディスペンサーは、典型的に、１以上の扉を有し、そこを通して、大樽を装置内に挿入する。ディスペンサーは、主に、家庭内キッチンでの使用が意図され、キッチンカウンタートップに容易に置くのに適している。キッチンカウンタートップのスペースは、ほとんどの家庭で貴重であるため、上記装置は、カウンタートップのスペース上、その装置が必要とする場所を最小限にするように作製される。その結果、大樽を入れるための装置内部の余裕は大きくなく、大樽の出し入れは面倒である。
【０００３】
スペースの要求をさらに複雑にすることは、大樽には典型的に大樽を越えて延在する上側および下側チャイム（出縁）が取り付けられていることである。これらのチャイムは、出荷や貯蔵のため大樽をお互いの上に積み重ねるとき、大樽を支え、保護するために用いられる。これらのチャイムは、横から見たとき、長方形の側面を有し、かつ、環状形態を有する。これらのチャイムは大樽の装置へのはめ込みを困難にする。大樽とチャイムは、装置内の空洞に小さな余裕しかないからである。したがって、装置から大樽の出し入れを容易にする必要がある。
【発明の開示】
【０００４】
発明の概要
本発明は、アルコール収容大樽用チャイムに関し、このチャイムは、横から見たときにテーパー側面を与える傾斜外側縁部を有する。特に、大樽の上部に正規に取り付けられたこのチャイムは、テーパー側面を有する。このチャイムの傾斜縁部は、チャイムおよび大樽を横切る最長対角線方向を有効に短くする。これは、大樽およびチャイムをディスペンサーからの出し入れを容易にするために、大樽およびチャイムを傾けて回転させることを可能にする。さらに、テーパー側面は、装置のタップアダプターの大樽への連結を容易にする。
【０００５】
テーパー側面を有するチャイムは環状リム部を有し、それは大樽にしっかり固定されるように適合している。このチャイムは、リム部から大樽を越えて延在する一対の対向翼部をさらに含む。翼部の各々は、中央部および、チャイムの中央部からリム部にかけて傾斜する外側縁部を有して、テーパー効果を与える２つの側部を有する。
【０００６】
ひとつの具体例において、このチャイムの外側縁部は所定の半径の凹曲率を有し、これにより、外側縁部は中央部からリム部にかけて略傾斜する。
【０００７】
大樽の動きを支援するひとつの具体例において、このチャイムの中央部の各々は、中央部にハンドル部を定める細長い開口を有する。さらに、積み重ねるときに、他の大樽を置いて支えることを支援するために、中央部は段差リッジ部のある支持エッジ部を有することができる。翼部は、大樽周りの環状リム部と同一の広がりをもち、同一の方向に湾曲するように考慮されている。このチャイムはプラスチック材料を含むことができ、大樽は金属材料、好ましくはステンレス鋼を含むことができると理解すべきである。
【０００８】
本発明の局面によれば、アルコール収容大樽用チャイムが提供される。このチャイムは、大樽としっかり固定されるように適合した環状リム部およびリム部から大樽を越えて延在する一対の対向する翼部を有する。翼部の各々は、中央部および、チャイムの中央部からリム部にかけて傾斜する外側縁部を有して、テーパー効果を与える２つの側部を有する。
【０００９】
本発明の本質および目的をより理解するために、付随する模式図を参照することができる。
【００１０】
発明の詳細な説明
図１および図２に言及すると、家庭用ビールディスペンサーの器具、装置またはユニット１０が示されている。ディスペンサー１０は、主に家庭内キッチンでの使用が意図されるが、ユーティリティー部屋、ガレージ、家庭内バー、トレーラーハウスなどでも用いることができる。好ましい具体例はビールに関するが、炭酸水または他のアルコール飲料を装置１０で注ぎ出すことができる。
【００１１】
家庭用ビールディスペンサー１０は前壁１２および前壁１２から前方に突き出た注出タップ１４を有する。ドリップトレイ１６も前壁１２から前方に突き出し、注出タップ１４の下で開口ガラス容器１８を支えるように適合している。家庭用ビールディスペンサー１０は、キッチンのカウンタートップに置けるように適合した底部２１をさらに有する。前壁１２は、大樽、すなわち大樽２２（図２の点線を参照せよ）が家庭用ビールディスペンサー１０のハウジング内に挿入されるように閉鎖位置および開放位置の間で動くことができる２枚の回転側壁２０の延長部分として形成される。家庭用ビールディスペンサー１０のハウジングは、上壁２４および後壁２６をさらに含む。後壁２６は、家庭用ビールディスペンサー１０内の空気循環を可能にするグリル３０を有する。電気コード３２が装置１０の後部から延長し、ディスペンサー１０内に収納された電気部品に電源を供給する主電源との接続を提供する。あるいは、１２ボルトＤＣサプライ入力を用いることもできる。
【００１２】
ディスペンサー１０は、大樽２２の後ろと下に位置する冷却システム２３を有し、それは大樽２２をディスペンサーに入れたとき、大樽２２を冷却するように適合している。ディスペンサー１０は、圧縮空気サプライ（図示せず）を備えることによって供給する。
【００１３】
図２および５に言及すると、大樽２２は上側チャイム４０および下側チャイム４２を有するように示されている。下側チャイム４２は、図５に示すように、長方形の側面を有する。上側チャイム４２は、図５に示すように、テーパー側面を有する。大樽２２の上部３８には、溝３９が設けられ、大樽２２の下部３７にも溝３９が設けられている。チャイム４０および４２の各々は、大樽の上をスライドし、溝３９としっかり固定される関係にはまるように適合した内向きフランジ４１を有する。
【００１４】
本発明によれば、上側チャイム４０に、湾曲テーパー面５２を設けて、図５に示されるチャイム４２および大樽２２の底部のひとつの隅からテーパー付けされた反対側の隅までの対角長が、大樽の対向する端に付けられた２つの長方形側面チャイムの対角長よりも短くなるようにする。
【００１５】
上側チャイム４０は環状リム部４４を有し、それは、環状リム部４４を大樽２２にしっかり固定するようにフランジ４１を備える。一対の対向する翼部４６が、大樽２２を越えてリム部４４から外側に延在する。これらの翼部は、湾曲し、環状リム部４４と同じ広がりをもつように形作られている。翼部の各々は、中央部４４および２つの側部５０を有する。側部５０の各々は、ある凹曲率半径で中央部４８からリム部４４にかけて傾斜する外側縁部５２を有し、テーパー効果を与える。
【００１６】
チャイム４０の各中央部は、大樽２２の運搬を容易にするためのハンドル部６２を定める細長い開口６０を有する。さらに、中央部４８は、支持縁部７０と段差リッジ部７２を有する。支持縁部７０と段差リッジ部７２は、貯蔵または出荷の目的での大樽の積み重ねのために協働する。特に、下部チャイム４２と同様の下部を有する大樽を上部チャイム４０の上に積み重ねる。上部チャイム４０の段差リッジ部７２は内側支持を与えるように適合し、上部チャイム４２の支持縁部７０は大樽２２の下部チャイム４２の水平支持を与えるように適合する。
【００１７】
チャイム４０は、好ましくは、単一部品として成型された成型プラスチック材料を含む。
【図面の簡単な説明】
【００１８】
【図１】家庭用ビールディスペンサーの正面立面図。
【図２】家庭用ビールディスペンサーの側面立面図。
【図３】本発明のチャイムの斜視図。
【図４】本発明のチャイムの側面図。
【図５】アルコール大樽と本発明のチャイムの立面図。
【図１】
2007537950.tif 000003
【図２】
2007537950.tif 000004
【図３】
2007537950.tif 000005
【図４】
2007537950.tif 000006
【図５】
2007537950.tif 000007
【国際調査報告】
2007537950.tif 000008
2007537950.tif 000009